(57)【要約】【課題】簡単な構成によって摺接面の滑りをより円滑化することができる構造物の滑り支承材を提供すること。【解決手段】土台側滑り部材１００Bは、下面に向かって開口する複数の潤滑材充填孔２４を有するとともに潤滑材充填孔２４に充填される潤滑材６とを備え、基礎側滑り部材１００Aは、上面に向かって開口する複数の空気孔２４であって、基礎２００に対して土台３００が原点位置にある通常時には、個々の空気孔２４が何れの潤滑材充填孔２４とも連通しない遮断状態に保たれ、かつ、地震発生時には、基礎側滑り部材１００Aの上面と土台側滑り部材１００Bの下面とが互いに摺動することにより、何れかの空気孔２４が何れかの潤滑材充填孔２４と連通し得る連通可能状態へと変化する配列パターンで配列された複数の空気孔２４を有する。【選択図】図１５
2008045345.tif 000002
【特許請求の範囲】
【請求項１】
構造物の基礎と土台との間に配設される滑り支承材であって、前記基礎の上面に固定される基礎側滑り部材と前記土台の下面に固定される土台側滑り部材とを備え、前記基礎側滑り部材の上面と前記土台側滑り部材の下面とが摺接面を構成する滑り支承材おいて、
前記土台側滑り部材は、下面に向かって開口する複数の潤滑材充填孔を有するとともに前記潤滑材充填孔に充填される潤滑材とを備え、
前記基礎側滑り部材は、上面に向かって開口する複数の空気孔であって、前記基礎に対して前記土台が原点位置にある通常時には、個々の空気孔が何れの潤滑材充填孔とも連通しない遮断状態に保たれ、かつ、地震発生時には、前記基礎側滑り部材の上面と前記土台側滑り部材の下面とが互いに摺動することにより、何れかの空気孔が何れかの潤滑材充填孔と連通し得る連通可能状態へと変化する配列パターンで配列された複数の空気孔を有する
ことを特徴とする構造物の滑り支承材。
【請求項２】
前記土台側滑り部材及び前記基礎側滑り部材は、互いに同一形状に形成され、かつ、前記土台側滑り部材及び前記基礎側滑り部材は、線対称となる配置関係でそれぞれ土台の下面及び基礎の上面に固定されることを特徴とする請求項１に記載の構造物の滑り支承材。
【請求項３】
前記土台側滑り部材及び前記基礎側滑り部材は、何れも、摺接面を形成する金属製の摺動カバー体と、該摺動カバー体に収容固定される合成樹脂製のハニカム状骨材とにより構成され、前記潤滑材充填孔及び前記空気孔は、何れも、前記摺動カバー体に形成されたカバー体孔と、該カバー体孔に連通する前記骨材に形成された骨材孔とにより構成されることを特徴とする請求項２に記載の構造物の滑り支承材。
【請求項４】
前記骨材は、分離独立した同一形状の骨材ピースからなることを特徴とする請求項３に記載の構造物の滑り支承材。
【請求項５】
前記土台側滑り部材の側面に土台水切り取付孔を備えることを特徴とする請求項３に記載の構造物の滑り支承材。
【請求項６】
構造物の基礎と土台との間に配設される滑り支承材と、前記基礎と前記土台との間に配設されるストッパー材と、前記基礎と前記土台との間に配設される原点復帰材とにより構成される構造物の免震構造であって、
前記滑り支承材は、前記基礎の上面に固定される基礎側滑り部材と前記土台の下面に固定される土台側滑り部材とを備え、前記土台側滑り部材は、下面に向かって開口する複数の潤滑材充填孔を有するとともに前記潤滑材充填孔に充填される潤滑材とを備え、前記基礎側滑り部材は、上面に向かって開口する複数の空気孔であって、前記基礎に対して前記土台が原点位置にある通常時には、個々の空気孔が何れの潤滑材充填孔とも連通しない遮断状態に保たれ、かつ、地震発生時には、前記基礎側滑り部材の上面と前記土台側滑り部材の下面とが互いに摺動することにより、何れかの空気孔が何れかの潤滑材充填孔と連通し得る連通可能状態へと変化する配列パターンで配列された複数の空気孔を有し、
前記ストッパー材は、地震発生時に前記土台側滑り部材の前記基礎側滑り部材からの脱落を防止するよう前記基礎に対する前記土台の移動範囲を規制し、
前記原点復帰材は、地震発生時にコイルばねの弾性復帰力により前記基礎に対して前記土台を原点位置に復帰させるよう構成される
ことを特徴とする構造物の免震構造。
【請求項７】
前記土台側滑り部材及び前記基礎側滑り部材は、互いに同一形状に形成され、かつ、前記土台側滑り部材及び前記基礎側滑り部材は、線対称となる配置関係でそれぞれ土台の下面及び基礎の上面に固定されることを特徴とする請求項６に記載の構造物の免震構造。
【請求項８】
前記土台側滑り部材及び前記基礎側滑り部材は、何れも、摺接面を形成する金属製の摺動カバー体と、該摺動カバー体に収容固定される合成樹脂製のハニカム状骨材とにより構成され、前記潤滑材充填孔及び前記空気孔は、何れも、前記摺動カバー体に形成されたカバー体孔と、該カバー体孔に連通する前記骨材に形成された骨材孔とにより構成されることを特徴とする請求項７に記載の構造物の免震構造。
【請求項９】
前記骨材は、互いに分離独立し同一形状を有する複数の骨材ピースからなることを特徴とする請求項８に記載の構造物の免震構造。
【請求項１０】
前記土台側滑り部材の側面に土台水切り取付孔を備えることを特徴とする請求項８に記載の構造物の免震構造。
【請求項１１】
前記ストッパー材は、基礎側第１固定具に連結されるバックルと、該バックルと土台側第１固定具との間に連結されるワイヤとを備えることを特徴とする請求項６に記載の構造物の免震構造。
【請求項１２】
前記原点復帰材は、基礎側第２固定具に連結されるバックルと、土台側第２固定具に連結されるリング部材と、前記バックルと前記リング部材との間に連結されるコイルばねとを備えることを特徴とする請求項６に記載の構造物の免震構造。
【発明の詳細な説明】
【技術分野】
【０００１】
本発明は、構造物の免震構造及び滑り支承材に関する。
【背景技術】
【０００２】
従来から、構造物の免震構造として、構造物の基礎と土台との間に配設される滑り支承材であって、基礎の上面に固定される基礎側滑り部材と土台の下面に固定される土台側滑り部材とを備え、基礎側滑り部材の上面と土台側滑り部材の下面とが摺接面を構成する滑り支承材が知られている（例えば、特許文献１−３参照）。
【特許文献１】特開２００５−３２４４１８公報
【特許文献２】特開２００４−３４７０６１公報
【特許文献３】特開２００２−０９８１８９公報
【発明の開示】
【発明が解決しようとする課題】
【０００３】
本発明は、簡単な構成によって摺接面の滑りをより円滑化することができる構造物の滑り支承材、及び、この滑り支承材を主要な構成要素とする構造物の免震構造を提供することを目的とする。さらに、本発明は、構造が簡単で製造が容易であり、しかも、現場での取扱い、作業性に優れた滑り支承材を提供するとともに、この滑り支承材を主要な構成要素とする構造物の免震構造を提供することを目的とする。
【課題を解決するための手段】
【０００４】
本発明の滑り支承材は、構造物の基礎と土台との間に配設される滑り支承材であって、前記基礎の上面に固定される基礎側滑り部材と前記土台の下面に固定される土台側滑り部材とを備え、前記基礎側滑り部材の上面と前記土台側滑り部材の下面とが摺接面を構成する滑り支承材おいて、前記土台側滑り部材は、下面に向かって開口する複数の潤滑材充填孔を有するとともに前記潤滑材充填孔に充填される潤滑材とを備え、前記基礎側滑り部材は、上面に向かって開口する複数の空気孔であって、前記基礎に対して前記土台が原点位置にある通常時には、個々の空気孔が何れの潤滑材充填孔とも連通しない遮断状態に保たれ、かつ、地震発生時には、前記基礎側滑り部材の上面と前記土台側滑り部材の下面とが互いに摺動することにより、何れかの空気孔が何れかの潤滑材充填孔と連通し得る連通可能状態へと変化する配列パターンで配列された複数の空気孔を有することを特徴とする。
【０００５】
本発明の構造物の滑り支承材によると、地震発生時に、基礎側滑り部材の上面と土台側滑り部材の下面とが互いに摺動することにより、土台側滑り部材の潤滑材充填孔が基礎側滑り部材の空気孔と連通するようになると、それまで潤滑材充填孔内に押し込められていた潤滑材が空気孔内の空気に触れることによって潤滑材充填孔内から空気孔に向かって漏洩可能となり、この漏洩した潤滑材は土台側滑り部材の下面と基礎側滑り部材の上面との隙間に侵入可能となる。この隙間に潤滑材が侵入すると、土台側滑り部材の下面と基礎側滑り部材の上面との摺動抵抗が減少し、摺接面の滑りがより円滑化される。
【０００６】
ここで、前記土台側滑り部材及び前記基礎側滑り部材は、互いに同一形状に形成され、かつ、前記土台側滑り部材及び前記基礎側滑り部材は、線対称となる配置関係でそれぞれ土台の下面及び基礎の上面に固定される。土台側滑り部材及び基礎側滑り部材を上記の構成とし、かつ、土台及び基礎に上記の方法で固定すると、土台側滑り部材及び基礎側滑り部材の構成が簡単で製造が容易になるとともに、現場での取扱い、作業性が向上する。
【０００７】
また、前記土台側滑り部材及び前記基礎側滑り部材は、何れも、摺接面を形成する金属製の摺動カバー体と、該摺動カバー体に収容固定される合成樹脂製のハニカム状骨材とにより構成され、前記潤滑材充填孔及び前記空気孔は、何れも、前記摺動カバー体に形成されたカバー体孔と、該カバー体孔に連通する前記骨材に形成された骨材孔とにより構成される。金属製の摺動カバー体によって摺接面が形成されるため、土台側滑り部材及び基礎側滑り部材の磨耗を抑制することが可能となる。また、合成樹脂製の骨材を用いるため、骨材を射出成形等によって容易に製造することができ、また、骨材をハニカム構造としたため、軽量でありながら強度を高めることができる。
【０００８】
また、前記骨材は、分離独立した同一形状の骨材ピースからなる。骨材を複数の同一形状の骨材ピースで構成したことにより、現場まで骨材を運搬する作業が容易になるとともに、現場で骨材ピースから骨材を組み立てる作業を容易に行うことができる。
【０００９】
また、前記土台側滑り部材の側面に土台水切り取付孔を備えるため、外壁内側に設けられる土台水切りを他の特別な取付手段を用いることなく固定することができる。
【００１０】
また、本発明の構造物の免震構造は、構造物の基礎と土台との間に配設される滑り支承材と、前記基礎と前記土台との間に配設されるストッパー材と、前記基礎と前記土台との間に配設される原点復帰材とにより構成される構造物の免震構造であって、前記滑り支承材は、前記基礎の上面に固定される基礎側滑り部材と前記土台の下面に固定される土台側滑り部材とを備え、前記土台側滑り部材は、下面に向かって開口する複数の潤滑材充填孔を有するとともに前記潤滑材充填孔に充填される潤滑材とを備え、前記基礎側滑り部材は、上面に向かって開口する複数の空気孔であって、前記基礎に対して前記土台が原点位置にある通常時には、個々の空気孔が何れの潤滑材充填孔とも連通しない遮断状態に保たれ、かつ、地震発生時には、前記基礎側滑り部材の上面と前記土台側滑り部材の下面とが互いに摺動することにより、何れかの空気孔が何れかの潤滑材充填孔と連通し得る連通可能状態へと変化する配列パターンで配列された複数の空気孔を有し、前記ストッパー材は、地震発生時に前記土台側滑り部材の前記基礎側滑り部材からの脱落を防止するよう前記基礎に対する前記土台の移動範囲を規制し、前記原点復帰材は、地震発生時にコイルばねの弾性復帰力により前記基礎に対して前記土台を原点位置に復帰させるよう構成されることを特徴とする。
【００１１】
本発明の構造物の免震構造によると、地震発生時に、土台側滑り部材の下面と基礎側滑り部材の上面との隙間に潤滑材が侵入することにより摺動抵抗が減少し、摺接面の滑りがより円滑化されるとともに、ストッパー材により土台側滑り部材が基礎側滑り部材から脱落するのを防止でき、また、原点復帰材により基礎に対して土台を原点位置に復帰させることができる。
【００１２】
ここで、前記土台側滑り部材及び前記基礎側滑り部材は、互いに同一形状に形成され、かつ、前記土台側滑り部材及び前記基礎側滑り部材は、線対称となる配置関係でそれぞれ土台の下面及び基礎の上面に固定される。土台側滑り部材及び基礎側滑り部材を上記の構成とし、かつ、土台及び基礎に上記の方法で固定すると、土台側滑り部材及び基礎側滑り部材の構成が簡単で製造が容易になるとともに、現場での取扱い、作業性が向上する。
【００１３】
また、前記土台側滑り部材及び前記基礎側滑り部材は、何れも、摺接面を形成する金属製の摺動カバー体と、該摺動カバー体に収容固定される合成樹脂製のハニカム状骨材とにより構成され、前記潤滑材充填孔及び前記空気孔は、何れも、前記摺動カバー体に形成されたカバー体孔と、該カバー体孔に連通する前記骨材に形成された骨材孔とにより構成される。金属製の摺動カバー体によって摺接面が形成されるため、土台側滑り部材及び基礎側滑り部材の磨耗を抑制することが可能となる。また、合成樹脂製の骨材を用いるため、骨材を射出成形等によって容易に製造することができ、また、骨材をハニカム構造としたため、軽量でありながら強度を高めることができる。
【００１４】
また、前記骨材は、分離独立した同一形状の骨材ピースからなる。骨材を複数の同一形状の骨材ピースで構成したことにより、現場まで骨材を運搬する作業が容易になるとともに、現場で骨材ピースから骨材を組み立てる作業を容易に行うことができる。
【００１５】
また、前記土台側滑り部材の側面に土台水切り取付孔を備えるため、外壁内側に設けられる土台水切りを他の特別な取付手段を用いることなく固定することができる。
【００１６】
また、前記ストッパー材は、基礎側第１固定具に連結されるバックルと、該バックルと土台側第１固定具との間に連結されるワイヤとを備える。
【００１７】
また、前記原点復帰材は、基礎側第２固定具に連結されるバックルと、土台側第２固定具に連結されるリング部材と、前記バックルと前記リング部材との間に連結されるコイルばねとを備える。
【発明を実施するための最良の形態】
【００１８】
以下、本発明の実施形態を図面に基づいて説明する。
【００１９】
図１は、本発明の一実施形態に係る構造物の免震構造及び滑り支承材が適用される一実施形態に係る構造物の基礎の平面図、図２は、同基礎の上面に固定される基礎側滑り部材の配置図、図３は、上記構造物の土台の平面図、図４は、同土台の下面に固定される土台側滑り部材の配置図、図５は、上記構造物に配設されるストッパー材の配置図、図６は、上記構造物に配設される原点復帰材の配置図、図７は、上記基礎側滑り部材及び上記土台側滑り部材の構造物への取付状態の一例を示す側面図、図８は、上記土台側滑り部材の正面図、図９は、同土台側滑り部材の平面図、図１０は、同土台側滑り部材の下面図（底面図）、図１１は、同土台側滑り部材の摺動カバー体の斜視図、図１２は、同土台側滑り部材の骨材の構成要素である骨材ピースの斜視図、図１３は、土台側滑り部材の摺動カバー体のカバー体孔と基礎側滑り部材の摺動カバー体のカバー体孔との位置関係を示した、土台側滑り部材の下面図（底面図）、図１４は、基礎側滑り部材と土台側滑り部材の配置説明図、図１５は、図１３図示A-A線による滑り支承材の要部断面図、図１６は、ストッパー材の構成及び動作説明図、図１７は、原点復帰材の構成及び動作説明図をそれぞれ示す。
【００２０】
図１〜図１７において、構造物は、図１に平面図として示すような基礎２００と、この基礎２００の上に滑り支承材１００を介して設置される、図３に平面図として示すような土台３００とを備える。
【００２１】
図２に示すように、基礎２００の上面の複数所定箇所には、それぞれ複数の滑り支承材１００の基礎側滑り部材１００Aが固定される。
【００２２】
また、図４に示すように、土台３００の下面の複数所定箇所であって上記基礎側滑り部材１００Aが固定される基礎２００の所定箇所に対向する箇所には、それぞれ複数の滑り支承材１００の土台側滑り部材１００Bが固定される。
【００２３】
基礎２００と土台３００との間には、地震が発生したとき基礎２００から土台３００が脱落するのを防止するため、図５に示すように、基礎２００と土台３００との間の複数の所定箇所にそれぞれストッパー材４００が連結される。
【００２４】
また、基礎２００と土台３００との間には、地震が収束したとき基礎２００に対する土台３００の位置を原点位置（元の位置）に戻すため、図６に示すように、基礎２００と土台３００との間の複数の所定箇所にそれぞれ原点復帰材５００が連結される。
【００２５】
滑り支承材１００は、図７に示すように、基礎２００の上面に固定された基礎側滑り部材１００Aと、土台３００の下面に基礎側滑り部材１００Aと対向して固定された土台側滑り部材１００Bとからなる。基礎側滑り部材１００Aと土台側滑り部材１００Bは、互いに同一に構成されている。
【００２６】
代表として土台側滑り部材１００Bを示す図８〜１０において、土台側滑り部材１００Bは、金属製の摺動カバー体１、好ましくは亜鉛メッキ鋼板又はアルミニウム製の摺動カバー体１と、この摺動カバー体１に収容固定される複数個（本実施形態では４個）の骨材ピース２Aからなる骨材２とを備える。
【００２７】
摺動カバー体１は、図１１にも示すように、摺接面１１aを形成する四角形状の摺接板部１１を備える。摺接板部１１の外周四辺のうち互いに対向する二辺には、それぞれ、上方へ垂直に折れ曲がった背の高い垂直壁部１２が延設されている。また、摺接板部１１の四辺のうち残りの互いに対向する二辺には、それぞれ、上方へ垂直に折れ曲がった背の低い垂直壁部１３aと、この垂直壁部１３aの上端から外方向へ水平に折れ曲がった水平フランジ部１３bとからなる断面L字状壁部１３が延設されている。
【００２８】
摺接板部１１には、所定の配列パターンで複数のカバー体孔１４が形成されている。ここで、カバー体孔１４の配列パターンは、図１１に二点鎖線で囲まれる４つの同一形状の仮想領域１５において互いに同一パターンとなっている。各々のカバー体孔１４は、摺動カバー体１の所定位置に骨材２が収容固定されたとき、骨材２の対応する骨材孔（後述する大径中空部２１cに対応する。）と連通状態となり、土台側滑り部材１００Bの場合、カバー体孔１４と骨材孔２１cとに潤滑材６（図１５）が充填され、カバー体孔１４及び骨材孔２１cによって潤滑材充填孔２４が構成される。
【００２９】
一対の垂直壁部１２には、骨材２を摺動カバー体１に固定するための固定具例えばネジ３が挿通される複数の骨材固定用孔１２aが形成されており、この骨材固定用孔１２aにネジ３を挿通し、骨材２のガイド孔２１e（図９、１０、１２）を介して潤滑材充填リブ２１b（図９、１０、１２）の上部の小径中空部２１gにネジ３をねじ込むことによって骨材２を摺動カバー体１に固定することができる。この固定作業の際、図１１に示すような土台水切り３０１、つまり、構造物のサイディング３０２と防水シート３０３との間に浸入した雨水をサイディング３０２の下端からモルタル巾木３０４の外側に排出するための土台水切り３０１を垂直壁部１２に固定することができる。この場合、骨材固定用孔１２aは、土台水切り取付孔として機能する。
【００３０】
一対の断面L字状壁部１３の各々の水平フランジ部１３bには、土台側滑り部材１００Bを土台３００に固定するための固定具例えばボルト４が挿通される複数の滑り部材固定用孔１３cが形成されており、この滑り部材固定用孔１３cと、この滑り部材固定用孔１３cに連通する骨材２の土台側滑り部材取付用リブ２２bの中空部２２c（図９、１０、１２）にボルト４を挿通し、土台３００側のナット（図示せず。）を締め付けることにより土台側滑り部材１００Bを土台３００に固定することができる。
【００３１】
摺動カバー体１に収容固定される骨材２は、４個の同一形状を有する骨材ピース２Aからなる。
【００３２】
各々の骨材ピース２Aは、合成樹脂例えばポリプロピレンを材料とし射出成形により形成される。骨材ピース２Aは、図１２に示すように、側面視（矢印aで示す方向から見て）逆凸状に形成されており、左右方向中央部に位置する略四角柱状の基部２１と、この基部２１の左端及び右端の各上部から左右水平方向に延びるフランジ部２２とにより構成される。
【００３３】
基部２１の底壁部２１aは、摺動カバー体１の摺接板部１１の上面１１bの所定箇所（図１１に二点鎖線で示した領域１５に対応する箇所）に載置される。
【００３４】
左右一対のフランジ部２２のうち一方のフランジ部２２は、摺動カバー体１の水平フランジ部１３bの上面に載置される。
【００３５】
基部２１の底壁部２１a及び一対のフランジ部２２の底壁部２２aの各上面には、ハニカム構造をした格子壁部２３が突設されている。また、基部２１の底壁部２１aの上面には、複数の中空円筒状の潤滑材充填リブ２１bが所定の配列パターンで突設されており、各リブ２１bの下部の大径中空部２１cは、半固形状の潤滑材６が充填される潤滑材充填孔２４の大部分を占める骨材孔２５を構成している。また、各フランジ部２２の底壁部２２aの上面には、複数の中空円筒状の土台側滑り部材取付用リブ２２bが一列に突設されており、各リブ２２bの中空部２２cは、土台３００に土台側滑り部材１００Bを固定するための上記金具例えばボルト４が挿通される固定金具挿通孔を構成している。
【００３６】
基部２１の一対の側壁部２１dには、それぞれ、摺動カバー体１に骨材２を収容した状態（図８〜１０図示の状態）で、摺動カバー体１の骨材固定用孔１２aと対向し、摺動カバー体１に骨材２を固定する、又は、摺動カバー体１に骨材２を固定すると共に土台側滑り部材１００Bに土台水切り３０１を固定するネジ３の位置決めをするガイド孔２１eが複数形成されている。
【００３７】
また、基部２１の一対のフランジ部２２の各側壁部２２dには、土台水切り３０１を骨材２に固定可能にするネジ５がねじ込まれる水切り固定用孔２２eが複数形成されている。
【００３８】
次に、上記のように構成される土台側滑り部材１００Bの組立方法の一例を説明する。
【００３９】
まず、一枚の摺動カバー体１と四個の骨材ピース２Aを用意し、摺動カバー体１の摺接板部１１の上面１１bの仮想領域１５に骨材ピース２Aの基部２１の底壁部２１aが位置すると共に骨材ピース２Aのフランジ部２２が摺動カバー体１の水平フランジ部１３bの上面に載るよう、摺動カバー体１に四個の骨材ピース２Aを収容する。
【００４０】
次に、摺動カバー体１の垂直壁部１２の各々の骨材固定用孔１２aにそれぞれネジ３を挿通し、骨材ピース２Aの側壁部２１dのガイド孔２１eを経てネジ３の先端部を骨材ピース２Aの潤滑材充填リブ２１bの小径中空部２１fにねじ込む。
【００４１】
最後に、摺動カバー体１のカバー体孔１４と骨材ピース２Aの潤滑材充填リブ２１bの大径中空部（骨材孔）２１cとからなる潤滑材充填孔２４に半固形状の潤滑材６を充填する。
【００４２】
以上の作業により、土台側滑り部材１００Bが組み立てられる。
【００４３】
一方、基礎側滑り部材１００Aは、半固形状の潤滑材６を潤滑材充填孔２４に充填せず潤滑材充填孔２４が空気孔を構成する点を除いて土台側滑り部材１００Bと全く同一の構成を有している。ただし、基礎側滑り部材１００Aを土台側滑り部材１００Bに対向させる際、図１４に示すように、土台側滑り部材１００Bの横に、基礎側滑り部材１００Aのカバー体孔１４の配列パターンが土台側滑り部材１００Bのカバー体孔１４の配列パターンと同一になるよう基礎側滑り部材１００Aを並べておき、この状態から、基礎側滑り部材１００Aの摺動カバー体１の摺接板部１１が土台側滑り部材１００Bの摺動カバー体１の摺接板部１１と対向するよう基礎側滑り部材１００Aを半回転させ、この半回転後の基礎側滑り部材１００Aを土台側滑り部材１００Bに対向させる。
【００４４】
この対向状態のとき、図１３及び図１４に示すように、基礎側滑り部材１００Aのカバー体孔１４と土台側滑り部材１００Bのカバー体孔１４とは位置ズレを生じており、両者１４、１４は互いに連通しない遮断状態となる。
【００４５】
互いに対向した状態で、基礎側滑り部材１００Aは、摺動カバー体１の各滑り部材固定用孔１３cを介して骨材ピース２Aの対応する基礎側滑り部材取付用リブ（上述した土台側滑り部材取付用リブ２２bに対応する。）の中空部２２cにボルト４を挿通し、該ボルト４の先端部を基礎２００に固定する。一方、土台側滑り部材１００Bは、摺動カバー体１の各滑り部材固定用孔１３cを介して骨材ピース２Aの対応する土台側滑り部材取付用リブ２２bの中空部２２cにボルト４を挿通し、該ボルト４の先端部をナット締めして土台３００に固定する。そして、基礎２００に固定された基礎側滑り部材１００Aの上に、土台３００に固定された土台側滑り部材１００Bを位置合わせしながら載せる。位置合せ後においては、基礎側滑り部材１００Aのカバー体孔１４と土台側滑り部材１００Bのカバー体孔１４は、図１３に示すような位置関係となり、土台側滑り部材１００Bのカバー体孔１４は、基礎側滑り部材１００Aの摺接板部１１の摺接面１１aで塞がれた状態となっている。
【００４６】
地震が発生し、基礎２００側が横揺れするようになると、基礎側滑り部材１００Aの摺動カバー体１と土台側滑り部材１００Bの摺動カバー体１が互いに水平方向へ往復摺動を繰り返すようになる。この往復摺動の間、図１５に示すように、土台側滑り部材１００Bの潤滑材充填孔２４が基礎側滑り部材１００Aの空気孔２４と連通可能となり、土台側滑り部材１００Bの潤滑材充填孔２４内の半固形状の潤滑材６が潤滑材充填孔２４内から基礎側滑り部材１００Aのカバー体孔１４へ向かって出易くなり、潤滑材充填孔２４内から出た潤滑材６が、基礎側滑り部材１００Aの摺動カバー体１の摺接面１１aと土台側滑り部材１００Bの摺動カバー体１の摺接面１１aとの隙間に侵入する場合が発生する。この隙間に潤滑材６が侵入した場合、両摺接面１１a、１１a間の摩擦係数が減少するようになり、摺動カバー体１同士の摺動が円滑化されるため、構造物の横揺れをより一層抑制することが可能となる。
【００４７】
ストッパー材４００は、図５及び図１６（A）に示すように、基礎２００と土台３００側の大引き３０１との間に複数設けられる。ストッパー材４００は、基礎２００側に固定される基礎側第１固定具４１と、大引き３０１に固定される土台側第１固定具４２とを備え、基礎側第１固定具４１にバックル例えばターンバックル４３を接続するとともに、このターンバックル４３と土台側第１固定具４２との間にワイヤ４４を接続して構成される。
【００４８】
地震が発生したとき、ストッパー材４００は、基礎側滑り部材１００Aと土台側滑り部材１００Bとの摺動による位置ズレが大きくなり、土台側滑り部材１００Bが基礎側滑り部材１００Aから脱落しようとしても、図１６（B）に示すように、ターンバックル４３とワイヤ４４が直線状に伸長状態となることにより、土台側滑り部材１００Bを基礎側滑り部材１００Aの上に留める作用を発揮する。このストッパー材４００の可動範囲は、図５において、二点鎖線で示す円領域４５となる。
【００４９】
原点復帰材５００は、図６及び図１７（A）に示すように、基礎２００と土台３００との間に複数設けられる。原点復帰材５００は、基礎２００側に固定される基礎側第２固定具５１と、土台３００側に固定される土台側第２固定具５２とを備え、基礎側第２固定具５１にバックル例えばターンバックル５３を接続するとともに、土台側第２固定具５２にリング部材５４を連結し、ターンバックル５３とリング部材５４との間にコイルばね５５を連結して構成される。コイルばね５５は、常時土台３００を基礎２００の内側に向けて引張る力を発生している。
【００５０】
地震が発生したとき、原点復帰材５００は、基礎側滑り部材１００Aと土台側滑り部材１００Bとの摺動による位置ズレが大きくなると、図１７（B）に示すようにコイルばね５５が伸長状態となるが、地震が収束すると、コイルばね５５の弾性復帰力により、基礎側滑り部材１００Aに対し土台側滑り部材１００Bは原点位置つまり正規の初期位置（図１７（A）図示の状態）まで復帰する。この原点復帰材５００の可動範囲は、図６において、二点鎖線で示す円領域５６となる。
【００５１】
以上説明したように、本実施形態の滑り支承材１００は、構造物の基礎２００と土台３００との間に配設される滑り支承材１００であって、基礎２００の上面に固定される基礎側滑り部材１００Aと土台３００の下面に固定される土台側滑り部材１００Bとを備え、基礎側滑り部材１００Aの上面と土台側滑り部材１００Bの下面とが摺接面１１aを構成する滑り支承材１００おいて、土台側滑り部材１００Bは、下面に向かって開口する複数の潤滑材充填孔２４を有するとともに潤滑材充填孔２４に充填される潤滑材６とを備え、基礎側滑り部材１００Aは、上面に向かって開口する複数の空気孔２４であって、基礎２００に対して土台３００が原点位置にある通常時には、個々の空気孔２４が何れの潤滑材充填孔２４とも連通しない遮断状態に保たれ、かつ、地震発生時には、基礎側滑り部材１００Aの上面と土台側滑り部材１００Bの下面とが互いに摺動することにより、何れかの空気孔２４が何れかの潤滑材充填孔２４と連通し得る連通可能状態へと変化する配列パターンで配列された複数の空気孔２４を有する。
【００５２】
本実施形態の構造物の滑り支承材１００によると、地震発生時に、基礎側滑り部材１００Aの上面と土台側滑り部材１００Bの下面とが互いに摺動することにより、土台側滑り部材１００Bの潤滑材充填孔２４が基礎側滑り部材１００Aの空気孔２４と連通するようになると、それまで潤滑材充填孔２４内に押し込められていた潤滑材６が空気孔２４内の空気に触れることによって潤滑材充填孔２４内から空気孔２４に向かって漏洩可能となり、この漏洩した潤滑材６は土台側滑り部材１００Bの下面と基礎側滑り部材１００Aの上面との隙間に侵入可能となる。この隙間に潤滑材６が侵入すると、土台側滑り部材１００Bの下面と基礎側滑り部材１００Aの上面との摺動抵抗が減少し、摺接面１１aの滑りがより円滑化される。
【００５３】
ここで、土台側滑り部材１００B及び基礎側滑り部材１００Aは、互いに同一形状に形成され、かつ、土台側滑り部材１００B及び基礎側滑り部材１００Aは、線対称となる配置関係（図１４参照）でそれぞれ土台３００の下面及び基礎２００の上面に固定される。土台側滑り部材１００B及び基礎側滑り部材１００Aを上記の構成とし、かつ、土台３００及び基礎２００に上記の方法で固定したことにより、土台側滑り部材１００B及び基礎側滑り部材１００Aの構成が簡単で製造が容易になるとともに、現場での取扱い、作業性が向上する。
【００５４】
また、土台側滑り部材１００B及び基礎側滑り部材１００Aは、何れも、摺接面１１aを形成する金属製の摺動カバー体１と、摺動カバー体１に収容固定される合成樹脂製のハニカム状骨材２とにより構成され、潤滑材充填孔２４及び空気孔２４は、何れも、摺動カバー体１に形成されたカバー体孔１４と、カバー体孔１４に連通する骨材２に形成された骨材孔（大径中空部）２１cとにより構成される。金属製の摺動カバー体１によって摺接面１１aが形成されるため、土台側滑り部材１００B及び基礎側滑り部材１００Aの磨耗を抑制することが可能となる。また、合成樹脂製の骨材２を用いるため、骨材２を射出成形等によって容易に製造することができ、また、骨材２をハニカム構造としたため、軽量でありながら強度を高めることができる。
【００５５】
また、骨材２は、分離独立した同一形状の骨材ピース２Aからなる。骨材２を複数の同一形状の骨材ピース２Aで構成したことにより、現場まで骨材２を運搬する作業が容易になるとともに、現場で骨材ピース２Aから骨材２を組み立てる作業を容易に行うことができる。
【００５６】
また、土台側滑り部材１００Bの側面に土台水切り取付孔（骨材固定用孔）１２aを備えるため、外壁（サイディング）３０２内側に設けられる土台水切り３０１を他の特別な取付手段を用いることなく固定することができる。
【００５７】
また、本実施形態の構造物の免震構造は、構造物の基礎２００と土台３００との間に配設される滑り支承材１００と、基礎２００と土台３００との間に配設されるストッパー材４００と、基礎２００と土台３００との間に配設される原点復帰材５００とにより構成され、ストッパー材４００は、地震発生時に土台側滑り部材１００Bの基礎側滑り部材１００Aからの脱落を防止するよう基礎２００に対する土台３００の移動範囲を規制し、原点復帰材５００は、地震発生時にコイルばね５５の弾性復帰力により基礎２００に対して土台３００を原点位置に復帰させるよう構成される。
【００５８】
本実施形態の構造物の免震構造によると、地震発生時に、土台側滑り部材１００Bの下面と基礎側滑り部材１００Aの上面との隙間に潤滑材６が侵入することにより摺動抵抗が減少し、摺接面１１aの滑りがより円滑化されるとともに、ストッパー材４００により土台側滑り部材１００Bが基礎側滑り部材１００Aから脱落するのを防止でき、また、原点復帰材５００により基礎２００に対して土台３００を原点位置に復帰させることができる。
【図面の簡単な説明】
【００５９】
【図１】本発明の一実施形態に係る構造物の免震構造及び滑り支承材が適用される一実施形態に係る構造物の基礎の平面図である。
【図２】同基礎の上面に固定される基礎側滑り部材の配置図である。
【図３】上記構造物の土台の平面図である。
【図４】同土台の下面に固定される土台側滑り部材の配置図である。
【図５】上記構造物に対するストッパー材の配置図である。
【図６】上記構造物に対する原点復帰材の配置図である。
【図７】上記基礎側滑り部材及び上記土台側滑り部材の構造物への取付状態の一例を示す側面図である。
【図８】上記土台側滑り部材の正面図である。
【図９】同土台側滑り部材の平面図である。
【図１０】同土台側滑り部材の下面図（底面図）である。
【図１１】同土台側滑り部材の摺動カバー体の斜視図である。
【図１２】同土台側滑り部材の骨材の構成要素である骨材ピースの斜視図である。
【図１３】土台側滑り部材の摺動カバー体のカバー体孔と基礎側滑り部材の摺動カバー体のカバー体孔との位置関係を示した、土台側滑り部材の下面図（底面図）である。
【図１４】基礎側滑り部材と土台側滑り部材の配置説明図である。
【図１５】図１３図示A-A線による滑り支承材の要部断面図である。
【図１６】ストッパー材の構成及び動作説明図である。
【図１７】原点復帰材の構成及び動作説明図である。
【符号の説明】
【００６０】
１００    滑り支承材
１００A    基礎側滑り部材
１００B    土台側滑り部材
１    摺動カバー体
６    潤滑材
１１a    摺接面
１２a    骨材固定用孔（土台水切り取付孔）
１４    カバー体孔
２    骨材
２A    骨材ピース
２１c    大径中空部（骨材孔）
２３    格子壁部
２４    潤滑材充填孔（空気孔）
２００    基礎
３００    土台
３０１    土台水切り
４００    ストッパー材
５００    原点復帰材
５５    コイルばね
【図１】
2008045345.tif 000003
【図２】
2008045345.tif 000004
【図３】
2008045345.tif 000005
【図４】
2008045345.tif 000006
【図５】
2008045345.tif 000007
【図６】
2008045345.tif 000008
【図７】
2008045345.tif 000009
【図８】
2008045345.tif 000010
【図９】
2008045345.tif 000011
【図１０】
2008045345.tif 000012
【図１１】
2008045345.tif 000013
【図１２】
2008045345.tif 000014
【図１３】
2008045345.tif 000015
【図１４】
2008045345.tif 000016
【図１５】
2008045345.tif 000017
【図１６】
2008045345.tif 000018
【図１７】
2008045345.tif 000019